(57)【特許請求の範囲】
【請求項１】
ランプを備えた器具本体と、器具本体を支持するアームと、弾性を有する板材を折り曲げて略Ｌ字状に形成され、アームの先端部に器具本体を回動自在に取り付けるばね片とを具備し、ばね片は、折り曲げられた角部にアームを挿通する開口部を有し、且つ角部を挟む長手方向の両端部に器具本体に取り付けるねじを挿通する取付用のねじ挿通孔を有し、角部周辺と器具本体に形成されたアーム受部との間に、アームの先端に形成された摺動部を挟み込んで器具本体にねじ止めされることを特徴とする照明器具。
【請求項２】
ばね片の角部を挟む長手方向の一端側には、器具本体に取り付ける補助用のねじ挿通孔が、開口部との間に取付用のねじ挿通孔を挟んで形成されたことを特徴とする請求項１記載の照明器具。
【請求項３】
ばね片の取付用のねじ挿通孔と開口部との間には、アームの摺動部を挟み込んで保持する保持力を調整するための調整用ねじが挿通される調整用のねじ挿通孔が形成され、調整用のねじ挿通孔は、器具本体に形成され、調整用ねじが螺着されるねじ穴に略対向配置されたことを特徴とする請求項１又は２記載の照明器具。
【請求項４】
ばね片は、アームの器具本体に取り付けられていない後端側が固定される被取付面に調整用のねじ挿通孔の開口面が略対向するように配置されたことを特徴とする請求項３記載の照明器具。
【請求項５】
ばね片は、角部を挟む長手方向の一端部を外側に折曲してなる突片を有し、突片に取付用のねじ挿通孔が形成されたことを特徴とする請求項１〜４記載の照明器具。
【発明の詳細な説明】
【０００１】
【発明の属する技術分野】
本発明は、アームを有する照明器具に関するものである。
【０００２】
【従来の技術】
この種の照明器具としてスポットライトがあり、図６および図７に示すように、ランプ１が備えられた器具本体５０と、略円柱状の柱部２１および柱部２１の先端に略垂直に設けられた略円柱状の摺動部２２から成る略Ｔ字状のアーム２０と、弾性を有する板材から成り、アーム２０の摺動部２２を器具本体５０との間に挟み込むばね片６０とを備えている。
【０００３】
器具本体５０は、図７に示すように、長手方向の一端にソケット１ａが備えられてランプ１が取り付けられた略円筒状のケース５１と、ケース５１の長手方向のランプ１が取り付けられていない一端に形成される開口面５２を塞ぐ略円盤状のカバー５５とを具備し、ケース５１内部の開口面５２付近にはアーム２０の摺動部２２を受ける凹状のアーム受部５４が開口面５２に略対向するように形成され、ケース５１の開口面５２側の周縁には凹部５６が凹設されている。また、カバー５５の周縁部には凹所５５ａが中心に向かって凹設され、凹所５５ａと反対側の周縁付近には後述のねじ７１を調整するための調整穴５５ｂが形成されている。
【０００４】
ばね片６０は、基部６１の両端から１対のリブ６２，６２が略平行に突出して略コ字状に形成され、リブ６２，６２はそれぞれ略円弧状に曲げられるとともに、それぞれのリブ６２の先端部を外側に折り曲げて成る取付部６３を有している。また、それぞれの取付部６３には、器具本体５０に取り付けるためのねじ７０を挿通する取付用のねじ挿通孔６３ａが形成され、基部６１の略中央部には、器具本体５０に取り付けるとともに、ばね片６０がアーム２０の摺動部２２を器具本体５０のアーム受部５４との間に挟み込んで保持する保持力を調整するためのねじ７１が挿通される取付用のねじ挿通孔６１ａが形成されている。
【０００５】
このようなばね片６０を用いて、アーム２０に器具本体５０を取り付けるときには、まず、アーム２０の摺動部２２を器具本体５０のアーム受部５４に配置する。次に、ばね片６０の１対のリブ６２，６２が、アーム２０の柱部２１を挟んで、アーム２０の摺動部２２を覆うようにばね片６０の取付部６３を器具本体５０に当接し、ねじ７０を取付用のねじ挿通孔６３ａに挿通して器具本体５０に螺着する。次に、ねじ７１を基部６１の取付用のねじ挿通孔６１ａに挿通して、器具本体５０の取付用のねじ挿通孔６１ａに略対向する部位に形成されたねじ穴５３にねじ７１を螺着することによって、アーム２０の摺動部２２をばね片６０のリブ６２，６２とアーム受部５４との間に挟み込み、器具本体５０をアーム２０に回動自在に取り付ける。
【０００６】
そして、ばね片６０が取り付けられた器具本体５０のケース５１の開口面５２に、カバー５５を凹所５５ａがケース５１の凹部５４と連続するように取り付けて、図７に示す照明器具が完成する。
【０００７】
このように取り付けられた器具本体５０は、アーム２０の柱部２１をカバー５５の凹所５５ａおよびケース５１の凹部５６を通して外側に突出させ、アーム２０の摺動部２２を支点として回動させることができる。また、調整穴５５ｂの内側にはねじ７１の頭部が配置されており、例えばドライバーなどを用いてねじ７１を締め付け、又は緩めることにより、アーム２０の摺動部２２を保持する保持力を調整することができ、ねじ７１を緩めて器具本体５０を回動させたり、ねじ７１を締め付けて器具本体５０を固定したりすることができる。
【０００８】
さらに、このような照明器具は、アーム２０の摺動部２２が形成されていない一端側に備えられた台座４を例えば天井などの造営面に取り付けることによって保持され、アーム２０に対して回動させることによりランプ１の向きをかえて照らすことができる。
【０００９】
【発明が解決しようとする課題】
しかしながら、上述のような従来の照明器具のばね片６０は、形状が複雑であるために製造ばらつき要因が多く、アーム２０の摺動部２２を保持する保持力にばらつきが生じるとともに製造コストがかさむという問題があった。さらに、台座４を天井に取り付けて斜め下向きに照射するような最も多い使用状態では、調整穴５５ｂが目立つのでデザイン的に好ましくないといった問題があった。
【００１０】
本発明は上記問題点の解決を目的とするものであり、製造コストを抑えるとともにアームを保持する保持力のばらつきを抑えた照明器具を提供する。
【００１１】
【課題を解決するための手段】
上記目的を達成するために、請求項１の発明は、ランプを備えた器具本体と、器具本体を支持するアームと、弾性を有する板材を折り曲げて略Ｌ字状に形成され、アームの先端部に器具本体を回動自在に取り付けるばね片とを具備し、ばね片は、折り曲げられた角部にアームを挿通する開口部を有し、且つ角部を挟む長手方向の両端部に器具本体に取り付けるねじを挿通する取付用のねじ挿通孔を有し、角部周辺と器具本体に形成されたアーム受部との間に、アームの先端に形成された摺動部を挟み込んで器具本体にねじ止めされることを特徴とし、ばね片の形状を従来よりも単純にしたことによってコストを低減することができるとともに、製造ばらつき要因を少なくすることができ、その結果、ばね片が器具本体との間にアームの摺動部を保持する保持力のばらつきを抑えて品質を安定させることができる。
【００１２】
請求項２の発明は、請求項１の発明において、ばね片の角部を挟む長手方向の一端側には、器具本体に取り付ける補助用のねじ挿通孔が、開口部との間に取付用のねじ挿通孔を挟んで形成されたことを特徴とし、ばね片を器具本体に取り付けるとき、先に、補助用のねじ挿通孔と、ばね片の補助用のねじ挿通孔が形成されていない他端側に形成された取付用のねじ挿通孔にねじを挿通して器具本体に螺着した後、補助用のねじ挿通孔が形成された一端側の取付用のねじ挿通孔にねじを挿通して器具本体に螺着することによって、ばね片の他端側の取付用のねじ挿通孔にねじを挿通して器具本体に螺着するときのばね片の跳ね上がりを抑えることができ、その結果、組立性を向上させることができる。
【００１３】
請求項３の発明は、請求項１又は２の発明において、ばね片の取付用のねじ挿通孔と開口部との間には、アームの摺動部を挟み込んで保持する保持力を調整するための調整用ねじが挿通される調整用のねじ挿通孔が形成され、調整用のねじ挿通孔は、器具本体に形成され、調整用ねじが螺着されるねじ穴に略対向配置されたことを特徴とし、調整用のねじ挿通孔に挿通された調整用ねじを器具本体のねじ穴に螺着して締め付けることによって、ばね片がアームの摺動部をアーム受部側に押圧し、調整用ねじの締め付ける度合いに応じてばね片のアームの摺動部を保持する保持力を調整することができ、その結果、調整用ねじにより保持力を調整して器具本体を固定または回動することができる。
【００１４】
請求項４の発明は、請求項３の発明において、ばね片は、アームの器具本体に取り付けられていない後端側が固定される被取付面に調整用のねじ挿通孔の開口面が略対向するように配置されたことを特徴とし、調整用のねじ挿通孔の開口面が被取付面に略対向することによって、調整用のねじ挿通孔を目立たなくして外観の見栄えを良くすることができる。特に、アームを天井などの被取付面に取り付けて、器具本体を斜め下向きに配置するような最も多い使用状態では、調整用のねじ挿通孔は天井側に隠れて見栄えを良くすることができる。
【００１５】
請求項５の発明は、請求項１〜４の何れかの発明において、ばね片は、角部を挟む長手方向の一端部を外側に折曲してなる突片を有し、突片に取付用のねじ挿通孔が形成されたことを特徴とし、ばね片の長手方向の両端部に形成された取付用のねじ挿通孔のそれぞれの開口面を略同じ方向に向けることができ、その結果、取付用のねじを全て同じ方向から締め付けることができて、組立性を向上させることができる。
【００１６】
【発明の実施の形態】
（実施形態１）
本実施形態における基本構成は従来例と共通するために共通する部分については同一の符号を付して説明を省略し、本実施形態の特徴となる部分についてのみ詳細に説明する。
【００１７】
本実施形態では、図１に示すように、ランプ１を備えた器具本体１０と、アーム２０と、弾性を有する板材から成り、アーム２０の摺動部２２を器具本体１０との間に挟み込むばね片３０とを備えている。
【００１８】
ばね片３０は、略矩形の板材の略中央部を折り曲げて略Ｌ字状に形成され、折り曲げられた角部にはアーム２０の柱部２１を挿通する開口部３１が形成されている。また、ばね片３０の角部を挟む長手方向の一端側の略中央部には、ばね片３０を器具本体１０に取り付けるねじ３を挿通する取付用のねじ挿通孔３３が１つ形成され、他端側の開口部３１周辺にも同様の取付用のねじ挿通孔３４が２つ形成されている。
【００１９】
器具本体１０は、内部にランプ１を備えた略円筒状のケース１１と、ケース１１の長手方向の一端に形成される開口面１２を塞ぐカバー１５と、ばね片３０を取り付ける固定部１３とを具備し、固定部１３には、アーム２０の摺動部２２を受ける凹状のアーム受部１４が、ケース１１の開口面１２を形成する周縁に設けられた凹部１６付近に配置されるように設けられ、固定部１３のばね片３０に形成された各取付用のねじ挿通孔３３，３４に対応する部位には、それぞれねじ穴１３ａが形成されている。また、カバー１５は、略円盤状の主部１５ａと主部１５ａの周縁部から略垂直に突設した周壁１５ｂとから成り、周壁１５ｂ及び主部１５ａには連続して凹設された凹所１５ｃが形成されている。
【００２０】
このような器具本体１０を上述のばね片３０を用いてアーム２０に取り付けるときには、ばね片３０の開口部３１にアーム２０の柱部２１を挿通して、ばね片３０の角部を挟む長手方向に略直交する方向の両側部３０ａ，３０ａが器具本体１０のアーム受部１４との間にアーム２０の摺動部２２を挟み込むように、ばね片３０を器具本体１０の固定部１３に配置し、各取付用のねじ挿通孔３３，３４にねじ３を挿通し、固定部１３に設けられたねじ穴１３ａに螺着することによって、ばね片３０を固定部１３に固定する。そして、カバー１５を凹所１５ｃが器具本体１０の凹部１６に連続するように取り付ける。
【００２１】
このように取り付けられた器具本体１０は器具本体１０の凹部１６及び凹所１５ｃからアーム２０の柱部２１を突出させ、アーム２０の摺動部２２を支点として回動自在となる。
【００２２】
本実施形態では、ばね片３０が、従来例のように略円弧状に形成さたリブ６２，６２を有することなく、開口部３１と取付用のねじ挿通孔３３，３４を有する略Ｌ字状の単純な形状に形成されたことによって、製造コストを低減することができるとともに、製造ばらつき要因を少なくすることができ、その結果、ばね片３０がアーム受部１４との間にアーム２０の摺動部２２を挟み込んで保持する保持力のばらつきを抑えて品質を安定させることができる。
（実施形態２）
本実施形態における基本構成は実施形態１と共通するために共通する部分については同一の符号を付して説明を省略し、本実施形態の特徴となる部分についてのみ詳細に説明する。
【００２３】
本実施形態のばね片３０は、図２に示すように、取付用のねじ挿通孔３４が設けられた一端側が角部を挟む長手方向に実施形態１よりも長く形成され、一端側の周縁略中央部には、器具本体１０の固定部１３に取り付ける補助用のねじ挿通孔３５が形成されている。
【００２４】
このようなばね片３０を用いて器具本体１０をアーム２０に取り付けるときには、実施形態１と同様に開口部３１にアーム２０の柱部２１を挿通して、ばね片３０をアーム受部１４との間にアーム２０の摺動部２２を挟み込んで配置する。そして、先に、取付用のねじ挿通孔３３及び補助用のねじ挿通孔３５にそれぞれねじ３を挿通し、それぞれ固定部１３に形成されたねじ穴１３ａ，１３ｂに螺着する。なお、補助用のねじ挿通孔３５に挿通されたねじ３が螺着されるねじ穴１３ｂは、固定部１３のねじ穴１３ａが形成された面から、ケース１１の開口面１２側に突設された突部１３ｃに形成されている。
【００２５】
次に、取付用のばね挿通孔３４，３４にねじ３を挿通して、それぞれに対応するねじ穴１３ａ，１３ａに螺着することによってばね片３０が器具本体１０の固定部１３に固定され、最後にカバー１５をケース１１の開口面１２に取り付ける。
【００２６】
ところで、実施形態１では、先にばね片３０のねじ挿通孔３３にねじ３を挿通してねじ穴１３ａに螺着したとき、ばね片３０のねじ挿通孔３４，３４が形成された一端側が跳ね上がって、ねじ挿通孔３４，３４にねじ３を挿通して螺着することが難しくなる。
【００２７】
しかし、本実施形態では、補助用のねじ挿通孔３４が形成され、取付用のねじ挿通孔３４，３４よりも先に補助用のねじ挿通孔３４にねじ３を挿通してねじ穴１３ｂに螺着することによって、ばね片３０の跳ね上がりを抑えて、容易に取付用のねじ挿通孔３４，３４にねじ３を挿通して螺着することができ、その結果、組立性を向上させることができる。
（実施形態３）
本実施形態における基本構成は実施形態２と共通するために共通する部分については同一の符号を付して説明を省略し、本実施形態の特徴となる部分についてのみ詳細に説明する。
【００２８】
本実施形態のばね片３０は、図３に示すように、取付用のねじ挿通孔３３が設けられた一端側が角部を挟む長手方向に実施形態２のばね片３０よりも長く形成され、開口部３１と取付用のねじ挿通孔３３との間に、アーム２０の摺動部２２を挟み込んで保持するばね片３０の保持力を調整するための調整用ねじ３ａが挿通される調整用のねじ挿通孔３６が形成されている。
【００２９】
このようなばね片３０を用いて、アーム２０に器具本体１０を取り付けるときには、まず開口部３１にアーム２０の柱部２１を挿通したばね片３０を、調整用のねじ挿通孔３ａの開口面が、ケース１１の凹部１６の周縁底部に形成された凹所１６ａの内側に位置するように配置する。そして、実施形態２と同様に、アーム２０の摺動部２２をばね片３０の両側部３０ａ，３０ａとアーム受部１４との間に挟んで取付用のねじ挿通孔３３，３４，３４及び補助用のねじ挿通孔３５にねじ３を挿通し、それぞれに対応するねじ穴１３ａ，１３ｂに螺着する。次に、調整用のねじ挿通孔３６に調整用ねじ３ａを挿通し、凹所１６ａから例えばドライバーなどを用いて、固定部１３の調整用のねじ挿通孔３６に略対向する部位に形成されたねじ穴（図示せず）に螺着する。このとき、ばね片３０の調整用のねじ挿通孔３６周辺部は、固定部１３から隙間をあけて配置されているので、上述のように調整用ねじ３ａを螺着して締め付けることによって、ばね片３０の調整用のねじ挿通孔３６周辺部は固定部１３側に押し寄せられ、ばね片３０の両側部３０ａ，３０ａがアーム２０の摺動部２２をアーム受部１４に押圧し、摺動部２２を保持する保持力を増すことができる。また、逆に調整用ねじ３ａを緩めることによって保持力を弱めることができる。
【００３０】
本実施形態では、上述のようにばね片３０には、アーム２０の摺動部２２を保持する保持力を調整する調整用のねじ挿通孔３６が形成され、器具本体１０の固定部１３に調整用のねじ挿通孔３６に略対向するねじ穴が設けられたことによって、保持力を容易に調整することができる。さらに、アーム２０の摺動部２２が形成されていない一端側を天井などの造営面に固定したときには、調整用のねじ挿通孔３６の開口面が、ケース１１の凹所１６ａを通して天井に略対向することによって、器具本体１０を斜め下向きに配置するような最も多い使用状態において、調整用のねじ挿通孔３６を従来例よりも目立たなくして外観の見栄えを良くすることができる。
（実施形態４）
本実施形態における基本構成は実施形態３と共通するために共通する部分については同一の符号を付して説明を省略し、本実施形態の特徴となる部分についてのみ詳細に説明する。
【００３１】
本実施形態のばね片は、図４に示すように、取付用のねじ挿通孔３３が設けられた一端側を外側に折曲して形成された突片３３ａを有し、取付用のねじ挿通孔３３はこの突片３３ａに形成されている。
【００３２】
一方、器具本体１０の固定部１３には、図５に示すように、取付用のねじ挿通孔３３に挿通されるねじ３に対応するねじ穴１３ａが、ねじ穴１３ａの開口面をケース１１の開口面１２に略対向させるように形成されている。
【００３３】
このような器具本体１０をばね片３０を用いてアーム２０に取り付けるときには、ケース１１の開口面１２側から補助用のねじ挿通孔３５及び取付用のねじ挿通孔３３，３４，３４にねじ３ａ，３を挿通して、それぞれに対応したねじ穴１３ａ，１３ｂに螺着して、ばね片３０を固定部１３に固定する。そして、実施形態３と同様にケース１１の凹所１６ａから調整用のねじ挿通孔３６に調整用ねじ３ａを挿通し、固定部１３に設けられたねじ穴１３ｄに螺着してアーム２０の摺動部２２を保持する保持力を調整し、最後にカバー１５をケース１１に取り付ける。
【００３４】
組み立てられた本実施形態の照明器具は、図５に示すように、アーム２０の摺動部２２が形成されていない一端に、屋内配線に接続された端子台２を備えた台座４が取り付けられており、台座４を例えば天井などの造営面に固定して保持される。端子台２は器具本体１０のソケット１ａに、アーム２０の内部を挿通するケーブルで接続されており、端子台２からソケット１ａを介してランプ１に電力が供給されるとともに、器具本体１０をアーム２０の摺動部２２を支点に回動させることによって、ランプ１の向きをかえて照らすことができる。
【００３５】
ここで、実施形態１〜３では、一端側のねじ挿通孔３３と他端側のねじ挿通孔３４，３４の向きが異なっているために、取付用のねじ３を異なる方向から締め付けなければならないが、本実施形態では、ばね片３０に突片３３ａを設け、この突片３３ａに取付用のねじ挿通孔３３を形成しているので、ケース１１の開口面１２側から取付用のねじ挿通孔３３，３４，３４及び補助用のねじ挿通孔３５にねじ３を挿通して、それぞれに対応したねじ穴１３ａ，１３ｂに螺着することができ、その結果、取付用のねじ３を全て同じ方向から締め付けることができるため、組立性を向上させることができるという利点がある。
【００３６】
【発明の効果】
請求項１の発明は、ランプを備えた器具本体と、器具本体を支持するアームと、弾性を有する板材を折り曲げて略Ｌ字状に形成され、アームの先端部に器具本体を回動自在に取り付けるばね片とを具備し、ばね片は、折り曲げられた角部にアームを挿通する開口部を有し、且つ角部を挟む長手方向の両端部に器具本体に取り付けるねじを挿通する取付用のねじ挿通孔を有し、角部周辺と器具本体に形成されたアーム受部との間に、アームの先端に形成された摺動部を挟み込んで器具本体にねじ止めされるので、ばね片の形状を従来よりも単純にしたことによってコストを低減することができるとともに、製造ばらつき要因を少なくすることができ、その結果、ばね片が器具本体との間にアームの摺動部を保持する保持力のばらつきを抑えて品質を安定させることができるという効果がある。
【００３７】
請求項２の発明は、ばね片の角部を挟む長手方向の一端側には、器具本体に取り付ける補助用のねじ挿通孔が、開口部との間に取付用のねじ挿通孔を挟んで形成されたので、ばね片を器具本体に取り付けるとき、先に、補助用のねじ挿通孔と、ばね片の補助用のねじ挿通孔が形成されていない他端側に形成された取付用のねじ挿通孔にねじを挿通して器具本体に螺着した後、補助用のねじ挿通孔が形成された一端側の取付用のねじ挿通孔にねじを挿通して器具本体に螺着することによって、ばね片の他端側の取付用のねじ挿通孔にねじを挿通して器具本体に螺着するときのばね片の跳ね上がりを抑えることができ、その結果、組立性を向上させることができるという効果がある。
【００３８】
請求項３の発明は、ばね片の取付用のねじ挿通孔と開口部との間には、アームの摺動部を挟み込んで保持する保持力を調整するための調整用ねじが挿通される調整用のねじ挿通孔が形成され、調整用のねじ挿通孔は、器具本体に形成され、調整用ねじが螺着されるねじ穴に略対向配置されたので、調整用のねじ挿通孔に挿通された調整用ねじを器具本体のねじ穴に螺着して締め付けることによって、ばね片がアームの摺動部をアーム受部側に押圧し、調整用ねじの締め付ける度合いに応じてばね片のアームの摺動部を保持する保持力を調整することができ、その結果、調整用ねじにより保持力を調整して器具本体を固定または回動することができるという効果がある。
【００３９】
請求項４の発明は、ばね片は、アームの器具本体に取り付けられていない後端側が固定される被取付面に調整用のねじ挿通孔の開口面が略対向するように配置されたので、調整用のねじ挿通孔の開口面が被取付面に略対向することによって、調整用のねじ挿通孔を目立たなくして外観の見栄えを良くすることができるという効果がある。特に、アームを天井などの被取付面に取り付けて、器具本体を斜め下向きに配置するような最も多い使用状態では、調整用のねじ挿通孔は天井側に隠れて見栄えを良くすることができるという効果がある。
【００４０】
請求項５の発明は、ばね片は、角部を挟む長手方向の一端部を外側に折曲してなる突片を有し、突片に取付用のねじ挿通孔が形成されたので、ばね片の長手方向の両端部に形成された取付用のねじ挿通孔のそれぞれの開口面を略同じ方向に向けることができ、その結果、取付用のねじを全て同じ方向から締め付けることができて、組立性を向上させることができるという効果がある。
【図面の簡単な説明】
【図１】実施形態１を示す分解斜視図である。
【図２】実施形態２を示す分解斜視図である。
【図３】実施形態３を示す分解斜視図である。
【図４】実施形態４を示す分解斜視図である。
【図５】同上の側面断面図である。
【図６】従来例を示す分解斜視図である。
【図７】同上の側面断面図である。
【符号の説明】
１０  器具本体
１４  アーム受部
１５  カバー
２０  アーム
２１  摺動部
３０  ばね片
３１  開口部
３３，３４  取付用のねじ挿通孔
【図１】
0004154822.tif 000002
【図２】
0004154822.tif 000003
【図３】
0004154822.tif 000004
【図４】
0004154822.tif 000005
【図５】
0004154822.tif 000006
【図６】
0004154822.tif 000007
【図７】
0004154822.tif 000008